(57)【要約】【課題】表示部の画面に対する第三者の盗み見を、簡単かつ精度よく検出する。【解決手段】カメラデバイス１１は、使用者が表示デバイス１５の画面を見ている時に、画面側から使用者側を撮影する。顔検出手段１２は、カメラデバイス１１によって撮影された画像の中から、人の顔を検出する。盗み見判定手段１３は、顔検出手段１２によって検出された顔の大きさに基づき、第三者が盗み見をしているか否かを判定する。盗み見防止信号出力手段１４は、盗み見判定手段１３によって盗み見をしていると判定されたときに、盗み見防止信号Ｓを出力する。表示デバイス１５は、盗み見防止信号出力手段１４から出力された盗み見防止信号Ｓを入力すると、盗み見を防止する動作をする。【選択図】図１
2010277205.tif 000002
【特許請求の範囲】
【請求項１】
使用者が表示部の画面を見ている時に当該画面側から当該使用者側を撮影する撮像部と、
この撮像部によって撮影された画像の中から人の顔を検出する顔検出手段と、
この顔検出手段によって検出された顔の大きさに基づき、第三者が盗み見をしているか否かを判定する盗み見判定手段と、
この盗み見判定手段によって盗み見をしていると判定されたときに盗み見防止信号を出力する盗み見防止信号出力手段と、
この盗み見防止信号出力手段から出力された盗み見防止信号を入力すると、盗み見を防止する動作をする盗み見防止部と、
を備えたことを特徴とする情報処理装置。
【請求項２】
前記盗み見判定手段は、前記顔検出手段によって検出された顔が複数ある場合、最も大きい顔を前記使用者の顔とし、次に大きい顔を前記第三者の顔とし、当該第三者の顔が一定以上の大きさであるときに、盗み見をしていると判定する、
請求項１記載の情報処理装置。
【請求項３】
前記盗み見判定手段は、前記第三者の顔が一定以上の大きさであるとき、当該一定以上の大きさを一定時間以上維持したときに盗み見をしていると判定する、
請求項１記載の情報処理装置。
【請求項４】
前記盗み見防止部は前記表示部であり、
当該表示部は、前記盗み見防止信号出力手段から出力された盗み見防止信号に基づき、前記画面の視野角を狭くする機能を有する、
ことを特徴とする請求項３記載の情報処理装置。
【請求項５】
前記表示部は、ガンマ補正によって前記画面の視野角を狭くする、
ことを特徴とする請求項４記載の情報処理装置。
【請求項６】
前記情報処理装置が携帯電話機である、
請求項１乃至５のいずれか一項記載の情報処理装置。
【請求項７】
使用者が表示部の画面を見ている時に当該画面側から当該使用者側を撮影する撮像部と、盗み見防止信号を入力すると盗み見を防止する動作をする盗み見防止部と、顔検出手段、盗み見判定手段及び盗み見防止信号出力手段を有するコンピュータと、を備えた情報処理装置が実行する情報処理方法であって、
前記顔検出手段が、前記撮像部によって撮影された画像の中から人の顔を検出し、
前記盗み見判定手段が、前記顔検出手段によって検出された顔の大きさに基づき第三者が盗み見をしているか否かを判定し、
前記盗み見防止信号出力手段が、前記盗み見判定手段によって盗み見をしていると判定されたときに、前記盗み見防止信号を前記盗み見防止部へ出力する、
ことを特徴とする情報処理方法。
【請求項８】
使用者が表示部の画面を見ている時に当該画面側から当該使用者側を撮影する撮像部と、盗み見防止信号を入力すると盗み見を防止する動作をする盗み見防止部と、コンピュータと、を備えた情報処理装置に用いられる情報処理プログラムであって、
前記撮像部によって撮影された画像の中から人の顔を検出する顔検出手段、
この顔検出手段によって検出された顔の大きさに基づき、第三者が盗み見をしているか否かを判定する盗み見判定手段、及び、
この盗み見判定手段によって盗み見をしていると判定されたときに、前記盗み見防止信号を前記盗み見防止部へ出力する盗み見防止信号出力手段、
として前記コンピュータを機能させるための情報処理プログラム。
【発明の詳細な説明】
【技術分野】
【０００１】
本発明は、例えば盗み見防止機能付き携帯電話機などの、盗み見防止機能を有する情報処理装置、方法及びプログラムに関する。
【背景技術】
【０００２】
特許文献１には、表示部を有する携帯機器において、盗み見をしている第三者を距離センサによって検出し、第三者に見えないよう表示部の視野角を狭くする技術（以下「関連技術１」という。）が、記載されている。しかしながら、関連技術１では、盗み見の検出に距離センサを使うため、次のような問題がある。問題１：新たに距離センサを設ける必要があるため、既存の携帯機器に適用することが困難である。問題２：距離センサでは人と物の識別ができないので、盗み見の検出精度が悪い。
【０００３】
これに対し、ソフトウェアを用いて盗み見を検出する技術（以下「関連技術２」という。）が、特許文献２に記載されている。関連技術２によれば、ソフトウェアの変更だけでよいので既存のカメラ付き携帯電話機などに適用することが容易である、ソフトウェアの処理によって人と物の識別が可能になるので盗み見の検出精度がよい、という利点がある。
【０００４】
以下、関連技術２について、図面を参照して説明する。図５［１］は、関連技術２に係る情報処理装置を示すブロック図である。図５［１］に示すように、情報処理装置は、画像を入力する撮像部１０１と、プログラム制御により動作するデータ処理装置１０２と、音や画像、振動、光等による警告を使用者（ユーザ）に対して出力する警告出力部１０３とを含む。
【０００５】
関連技術２において、情報処理装置は、具体的には、携帯電話機やパーソナルコンピュータ等の情報端末によって実現される。また、情報処理装置は、ユーザの要求指示に従って、各種情報を表示する画像表示装置（例えば、モニタや携帯電話機の液晶表示部）を備え、ユーザ以外の他人による覗き見を防止する用途に用いられる。
【０００６】
撮像部１０１は、具体的には、ビデオカメラやＣＣＤ（Charge Coupled Devices，電荷結合素子）カメラ等の静止画像や動画像を撮影可能なカメラである。撮像部１０１は、情報処理装置が表示する画面をユーザが見ている状態で、ユーザを撮影できるように情報処理装置に設置される。関連技術２では、情報処理装置のユーザとユーザ周辺とを含む画像を撮影できるように、画像表示装置の前方を撮影するように設置される。図５［２］は、撮像部１０１が撮影する画像の例を示す説明図である。図５［２］のように、撮像部１０１は、使用者（ユーザ）と使用者周辺の他人等を含む画像を撮影する。
【０００７】
また、撮像部１０１は、情報処理装置のユーザの顔等を良好な状態で撮影できるようにするために、ユーザが注視する情報処理装置の液晶モニタ画面やＬＥＤ表示部等のデータ出力部の周囲に設置されている。
【０００８】
データ処理装置１０２は、具体的には、プログラムに従って動作する情報端末のＣＰＵによって実現される。図５［１］に示すように、データ処理装置１０２は、顔検出手段１２１と、覗き見判定手段１２２と、警告発生手段１２３とを含む。
【０００９】
顔検出手段１２１は、撮像部１０１が撮影した画像に含まれる顔を検出する機能を備える。関連技術２では、顔検出手段１２１は、撮像部１０１が撮影した画像に対して所定の顔検出処理を行って、画像に含まれる顔を検出する。例えば、顔検出手段１２１は、まず、注目画素の階調値が周囲の画素の階調値よりも小さい点を黒目の候補と仮定し、画像中から黒目の位置候補を検出する。また、顔検出手段１２１は、検出した黒目の位置の組合せを顔の候補と仮定する。そして、顔検出手段１２１は、そのようにして求めた顔の候補に対して、予めニューラルネットワーク等により学習した顔と顔以外の画像を判別する判別器を用いて、各顔の候補が本当に顔であるか否かを判定する。その判定の結果、顔検出手段１２１は、顔であると判定した顔の候補の位置を、顔が実際に存在する可能性が高い場所として出力する。
【００１０】
なお、上記の高速顔検出処理は、例えば、非特許文献１に記載されている。
【００１１】
覗き見判定手段１２２は、顔検出手段１２１による顔検出結果（検出した顔の数）に基づいて、情報処理装置の表示画面がユーザ以外の他人によって覗き見されているか否かを判定する機能を備える。以下、情報処理装置の表示画面がユーザ以外の他人によって覗き見されている状態であることを、「覗き見状態」ともいう。関連技術２では、覗き見判定手段１２２は、顔検出手段１２１が検出した検出顔数が所定のしきい値（例えば、所定値ｎ個）以上であるか否かを判断する。覗き見判定手段１２２は、顔検出手段１２１が検出した検出顔数がｎ個未満であると判断した場合、他人による覗き見状態ではないと判定する。また、覗き見判定手段１２２は、検出顔数がｎ個以上であると判断した場合、他人による覗き見状態であると判定する。なお、関連技術２において、所定値ｎは、予め設定された値（例えば、ｎ≧１）である。
【００１２】
警告発生手段１２３は、覗き見判定手段１２２が覗き見状態を判定した結果、他人による覗き見状態であると判定した場合、ユーザに覗き見状態であることを通知するための警告を警告出力部１０３に出力させる機能を備える。
【００１３】
警告出力部１０３は、警告発生手段１２３の指示に従って、ユーザに対して覗き見状態であることを通知するための警告を出力する機能を備える。警告出力部１０３は、情報処理装置のユーザに対して何らかの情報を送ることが可能な手段であればよく、具体的には、スピーカ等の音声出力装置（図示せず）や、モニタ等の画像表示装置（図示せず）によって実現される。例えば、警告として音声を用いる場合、警告出力部１０３としてスピーカ等の音声出力装置が用いられる。この場合、警告出力部１０３は、音声又は警告音を出力することによって、ユーザに覗き見状態を警告する。また、例えば、警告として画像を用いる場合、警告出力部１０３としてモニタ等の画像表示装置が用いられる。この場合、警告出力部１０３は、画像又は文字情報によって、ユーザに覗き見状態を警告する。
【００１４】
関連技術２において、警告出力部１０３は、例えば、画像の表示、音声の出力、情報処理装置の振動、又は発光のいずれかによって、ユーザに対して覗き見状態であることを通知する。また、警告出力部１０３は、画像の表示、音声の出力、情報処理装置の振動、又は発光のうちいずれか２つ以上の組み合わせによって、ユーザに対して覗き見状態であることを通知する。また、警告出力部１０３は、画像の表示、音声の出力、情報処理装置の振動、及び発光の全てを用いて、ユーザに対して覗き見状態であることを通知する。
【００１５】
なお、関連技術２において、警告出力部１０３は、覗き見判定手段１２２が覗き見状態であると判定したときに、覗き見状態を解消するための解消処理を実行する覗き見状態解消手段として機能する。
【００１６】
次に、動作について説明する。図６は、ユーザ以外の他人によって表示画面を覗き見されているか否かを判定し、ユーザに警告する処理の一例を示す流れ図である。まず、撮像部１０１は、所定のタイミングで、情報処置装置が備える画像表示装置の前方を撮影した画像を撮影する（ステップＳ１１１）。例えば、データ処理装置１０２は、ユーザの操作による指示入力（例えば、表示画面への各種情報の表示の指示入力）を検出すると、画像の撮影を撮像部１０１に指示する。すると、撮像部１０１は、データ処理装置１０２の指示に従って、画像表示装置前方の画像を撮影する。
【００１７】
次に、データ処理装置１０２の顔検出手段１２１は、撮像部１０１が撮影した画像に対して顔の検出処理を行い、撮影画像に含まれる顔を全て抽出する（ステップＳ１１２）。また、覗き見判定手段１２２は、顔検出手段１２１が検出した顔の検出結果に基づいて、撮影画像中にｎ個（ｎ≧１）以上の顔が含まれるか否かを判定する（ステップＳ１１３）。
【００１８】
覗き見判定手段１２２が「ｎ個以上の顔が撮影画像中に含まれる」と判定した場合（すなわち、覗き見状態であると判定した場合）、警告発生手段１２３は、他人によって表示画面を覗き見されている旨をユーザに警告するための警告情報を作成する。また、覗き見判定手段１２２は、作成した警告情報に基づいて、情報処理装置使用者（ユーザ）に対して警告を警告出力部１０３に出力させ（ステップＳ１１４）、処理を終了する。例えば、警告発生手段１２３は、スピーカである警告出力部１０３に、音声や警告音を用いて警告を出力させる。また、例えば、警告発生手段１２３は、モニタである警告出力部１０３に、画像や文字情報を用いて警告を出力させる。
【００１９】
覗き見判定手段１２２が「ｎ個以上の顔が撮影画像中に含まれていない」と判定した場合（すなわち、覗き見状態でないと判定した場合）、情報処理装置は、ユーザに対する警告を出力することなく、そのまま処理を終了する。
【００２０】
以上のように、関連技術２によれば、情報処理装置は、撮像部１０１により情報処理装置付属の画像表示装置の前方及び前方周辺の画像を撮影する。そして、情報処理装置は、撮影画像中に存在する顔の数を用いて、覗き見状態であるか否かを判定する覗き見判別を行う。そのため、情報処理装置のユーザと同じ視点から情報処理装置付属の画像表示装置を覗き見られても、撮影画像中に複数の顔を検出することによって、覗き見状態である旨の警告をユーザに通知できる。従って、他人がユーザとほぼ同じ視点から画面を覗き込む場合であっても、他人による画面の覗き見を防止することができる。
【先行技術文献】
【特許文献】
【００２１】
【特許文献１】特開２００７−２９３０６２号公報
【特許文献２】特開２００８−２７６２７４号公報
【非特許文献】
【００２２】
【非特許文献１】鈴木，細井，櫻井，佐藤，“リングフィルタを用いた高速顔検出処理の開発”，２００３年電子情報通信学会総合大会予稿，ｐ．２５１
【発明の概要】
【発明が解決しようとする課題】
【００２３】
関連技術２では、前述のとおり「覗き見判定手段１２２は、検出顔数がｎ個以上であると判断した場合、他人による覗き見状態であると判定する。」とあるように、検出した顔の数で、他人による盗み見であるか否かを判定している。しかしながら、検出した顔のすべてが、盗み見をしているとは限らないので、盗み見の検出精度が不十分であった。また、特許文献２には第５の実施の形態として、顔の視線の向きを検出して盗み見の検出精度を上げる技術が記載されている。しかし、この技術では、ソフトウェアの処理が極めて複雑になるという新たな問題が生ずる。
【００２４】
そこで、本発明の目的は、盗み見の検出精度を簡単に向上できる情報処理装置、方法及びプログラムを提供することにある。
【課題を解決するための手段】
【００２５】
本発明に係る情報処理装置は、
使用者が表示部の画面を見ている時に当該画面側から当該使用者側を撮影する撮像部と、
この撮像部によって撮影された画像の中から人の顔を検出する顔検出手段と、
この顔検出手段によって検出された顔の大きさに基づき、第三者が盗み見をしているか否かを判定する盗み見判定手段と、
この盗み見判定手段によって盗み見をしていると判定されたときに盗み見防止信号を出力する盗み見防止信号出力手段と、
この盗み見防止信号出力手段から出力された盗み見防止信号を入力すると、盗み見を防止する動作をする盗み見防止部と、
を備えたことを特徴とする。
【００２６】
本発明に係る情報処理方法は、
使用者が表示部の画面を見ている時に当該画面側から当該使用者側を撮影する撮像部と、盗み見防止信号を入力すると盗み見を防止する動作をする盗み見防止部と、顔検出手段、盗み見判定手段及び盗み見防止信号出力手段を有するコンピュータと、を備えた情報処理装置が実行する情報処理方法であって、
前記顔検出手段が、前記撮像部によって撮影された画像の中から人の顔を検出し、
前記盗み見判定手段が、前記顔検出手段によって検出された顔の大きさに基づき第三者が盗み見をしているか否かを判定し、
前記盗み見防止信号出力手段が、前記盗み見判定手段によって盗み見をしていると判定されたときに、前記盗み見防止信号を前記盗み見防止部へ出力する、
ことを特徴とする。
【００２７】
本発明に係る情報処理プログラムは、
使用者が表示部の画面を見ている時に当該画面側から当該使用者側を撮影する撮像部と、盗み見防止信号を入力すると盗み見を防止する動作をする盗み見防止部と、コンピュータと、を備えた情報処理装置に用いられる情報処理プログラムであって、
前記撮像部によって撮影された画像の中から人の顔を検出する顔検出手段、
この顔検出手段によって検出された顔の大きさに基づき、第三者が盗み見をしているか否かを判定する盗み見判定手段、及び、
この盗み見判定手段によって盗み見をしていると判定されたときに、前記盗み見防止信号を前記盗み見防止部へ出力する盗み見防止信号出力手段、
として前記コンピュータを機能させるためのものである。
【発明の効果】
【００２８】
本発明によれば、撮像部によって撮影された画像の中から人の顔を検出し、検出された顔の大きさに基づき第三者が盗み見をしているか否かを判定することにより、顔の大きさの情報は容易に得られるので、盗み見の検出精度を簡単に向上できる。
【図面の簡単な説明】
【００２９】
【図１】図１［１］は、本発明の一実施形態に係る情報処理装置の機能を示すブロック図である。図１［２］は、図１［１］の情報処理装置のハードウェア構成を示すブロック図である。
【図２】図２［１］は、図１の情報処理装置の外観を示す斜視図である。図２［２］は、図１の情報処理装置の撮像部によって撮影された画像を示すビットマップ図である。
【図３】図１の情報処理装置の動作（視野角が通常の場合）を示すフローチャートである。
【図４】図１の情報処理装置の動作（視野角が狭い場合）を示すフローチャートである。
【図５】図５［１］は、関連技術２に係る情報処理装置を示すブロック図である。図５［２］は、図５［１］の情報処理装置の撮像部によって撮影された画像を示すビットマップ図である。
【図６】図５の情報処理装置の動作を示すフローチャートである。
【発明を実施するための形態】
【００３０】
図１［１］は、本発明の一実施形態に係る情報処理装置の機能を示すブロック図である。図１［２］は、図１［１］の情報処理装置のハードウェア構成を示すブロック図である。図２［１］は、図１の情報処理装置の外観を示す斜視図である。図２［２］は、図１の情報処理装置の撮像部によって撮影された画像を示すビットマップ図である。以下、図１及び図２に基づき説明する。
【００３１】
本実施形態の情報処理装置としての携帯電話機１０は、撮像部としてのカメラデバイス１１と、顔検出手段１２と、盗み見判定手段１３と、盗み見防止信号出力手段１４と、表示部兼盗み見防止部としての表示デバイス１５と、を備えている。顔検出手段１２、盗み見判定手段１３及び盗み見防止信号出力手段１４は、コンピュータ２０内にコンピュータプログラムによって実現されている。コンピュータ２０は、ＣＰＵ２１、ＲＯＭ２２、ＲＡＭ２３、入出力インタフェース２４等からなる一般的なマイクロコンピュータである。
【００３２】
カメラデバイス１１は、使用者３０が表示デバイス１５の画面１６を見ている時に、画面１６側から使用者３０側を撮影する。顔検出手段１２は、カメラデバイス１１によって撮影された画像Ｐの中から、人の顔３０ａ，３１ａ，３２ａを検出する。盗み見判定手段１３は、顔検出手段１２によって検出された顔３０ａ，３１ａ，３２ａの大きさに基づき、第三者３１，３２が盗み見をしているか否かを判定する。盗み見防止信号出力手段１４は、盗み見判定手段１３によって盗み見をしていると判定されたときに、盗み見防止信号Ｓを出力する。表示デバイス１５は、盗み見防止信号出力手段１４から出力された盗み見防止信号Ｓを入力すると、盗み見を防止する動作をする。
【００３３】
携帯電話機１０によれば、カメラデバイス１１によって撮影された画像Ｐの中から人の顔３０ａ，３１ａ，３２ａを検出し、検出された顔３０ａ，３１ａ，３２ａの大きさに基づき第三者３１，３２が盗み見をしているか否かを判定することにより、顔３０ａ，３１ａ，３２ａの大きさの情報は容易に得られるので、盗み見の検出精度を簡単に向上できる。
【００３４】
例えば、盗み見判定手段１３は、顔検出手段１２によって検出された顔３０ａ，３１ａ，３２ａが複数ある場合、最も大きい顔３０ａを使用者３０の顔とし、次に大きい顔３１ａを第三者３１の顔とし、第三者３１の顔３１ａが一定以上の大きさであるときに、盗み見をしていると判定する。
【００３５】
使用者３０が表示デバイス１５の画面１６を見ている時、カメラデバイス１１は画面１６側から使用者３０側を撮影する。そのため、カメラデバイス１１によって撮影された画像Ｐに、使用者３０の顔３０ａと少なくとも一人の第三者３１，３２の顔３１ａ，３２ａとが写っているとき、使用者３０の顔３０ａが最も大きく写る。なぜなら、カメラデバイス１１から使用者３０までの距離は、カメラデバイス１１からどの第三者３１，３２までの距離よりも短いからである。したがって、検出された顔３０ａ，３１ａ，３２ａの大きさに基づき、容易に使用者３０と第三者３１，３２とを識別することができる。
【００３６】
また、カメラデバイス１１は画面１６側から使用者３０側を撮影しているので、検出された第三者３１，３２の顔３１ａ，３２ａは、カメラデバイス１１から第三者３１，３２までの距離が長いほど小さくなる。そのため、第三者３１，３２の顔３１ａ，３２ａが一定未満の大きさであれば、画面１６から第三者３１，３２までの距離が十分に離れているので、第三者３１，３２による画面１６の盗み見は不可能であると判定できる。逆に、第三者３１，３２の顔３１ａ，３２ａが一定以上の大きさであれば、画面１６から第三者３１，３２までの距離が近いので、第三者３１，３２による画面１６の盗み見が可能であると判定できる。
【００３７】
図２［２］に示す例では、第三者３１の顔３１ａが一定以上の大きさであり、第三者３２の顔３２ａが一定未満の大きさであるので、第三者３１は画面１６の盗み見をしており、第三者３２は画面１６の盗み見をしていない、と判定できる。顔の一定の大きさ、すなわち顔の大きさのしきい値は、予め実験的に求めておき、盗み見判定手段１３に設定しておく。
【００３８】
例えば、盗み見判定手段１３は、第三者３１，３２の顔３１ａ，３２ａが一定以上の大きさであるとき、当該一定以上の大きさを一定時間以上維持したときに盗み見をしていると判定する。この一定時間は、連続した時間でもよいし、断続的な時間の合計でもよいし、これらの時間の組み合わせでもよい。
【００３９】
カメラデバイス１１によって撮影された画像Ｐにおいて、第三者３１，３２の顔３１ａ，３２ａが一定以上の大きさであっても、その状態が一定時間続かない場合がある。この場合、第三者３１，３２は使用者３０の近くを通り過ぎたり動き回ったりしているだけであって、第三者３１，３２が盗み見をしている可能性は低い。したがって、第三者３１，３２の顔３１ａ，３２ａが一定以上の大きさであるとき、その一定以上の大きさを一定時間以上維持したときに限り、盗み見をしていると判定することにより、盗み見の検出精度をより向上できる。この一定時間、すなわち時間のしきい値は、予め実験的に求めておき、盗み見判定手段１３に設定しておく。
【００４０】
画像Ｐの中から人の顔３０ａ，３１ａ，３２ａを検出するには、一般的な画像処理技術を用いる。例えば、前述した特許文献１や非特許文献１に開示されている技術を用いる。
【００４１】
画像Ｐは、カメラデバイス１１を構成するフォトセルの位置情報及び受光情報から得られた画像データである。そのため、画像Ｐのうち顔３０ａ，３１ａ，３２ａの占める画素数をそれぞれ計数することにより、顔３０ａ，３１ａ，３２ａの相対的な大きさを容易に求めることができる。この場合、細長い顔すなわち画面１６側から見て横顔に近い状態であるときは、その顔の占める画素数が少ないので、盗み見をしている可能性が低いと判定される。逆に、丸い顔すなわち画面１６側から見て正面顔に近い状態であるときは、その顔の占める画素数が多いので、盗み見をしている可能性が高いと判定される。また、顔３０ａ，３１ａ，３２ａの長さ（縦方向）や幅（横方向）あるいは「長さ×幅」などによって、顔３０ａ，３１ａ，３２ａの相対的な大きさを求めてもよい。
【００４２】
更に、顔３０ａ，３１ａ，３２ａの長さ（縦方向）と幅（横方向）との比に基づいて、盗み見をしているか否かを判定してもよい。例えば「幅／長さ」の値が一定以下の顔の場合は、細長い顔すなわち画面１６側から見て横顔に近い状態であるから、盗み見をしている可能性が低い。逆に、「幅／長さ」の値が一定以上の顔の場合は、丸い顔すなわち画面１６側から見て正面顔に近い状態であるから、盗み見をしている可能性が高い。
【００４３】
カメラデバイス１１は、例えばＣＣＤセンサやＣＭＯＳセンサからなり、各フォトセルの位置情報及び受光情報を出力する。表示デバイス１５は、例えば液晶ディスプレイや有機ＥＬディスプレイである。一般の携帯電話機であれば、筺体の同じ面にカメラデバイスと表示デバイスとを備えているので、それらを用いることができる。表示デバイス１５は、盗み見防止部を兼ねており、盗み見防止信号出力手段１４から出力された盗み見防止信号Ｓに基づき、画面１６の視野角を狭くする機能を有する。
【００４４】
表示デバイス１５が液晶ディスプレイであるとき、表示デバイス１５はガンマ補正によって画面１６の視野角を狭くすることができる。つまり、表示デバイス１５において信号電圧Ｅと光出力Ｌの関係がＬ＝Ｅγとなっているとき、γの値を変えることによって、画像Ｐの暗い部分を黒つぶれにしたり明るい部分を白とびにしたりして見えにくくする。見えにくくなるほど、画面１６の視野角は狭くなる。この場合の盗み見防止信号Ｓは、表示デバイス１５にγの値を変えさせるための信号である。ガンマ補正は表示デバイス１５に具備された既存の機能であることから、ガンマ補正を利用することによって画面１６の視野角を容易に変えることができる。
【００４５】
次に、本実施形態の情報処理方法について説明する。本実施形態の情報処理方法は、使用者３０が表示デバイス１５の画面１６を見ている時に画面１６側から使用者３０側を撮影するカメラデバイス１１と、盗み見防止信号Ｓを入力すると盗み見を防止する動作をする表示デバイス１５と、顔検出手段１２、盗み見判定手段１３及び盗み見防止信号出力手段１４を有するコンピュータ２０と、を備えた携帯電話機１０が実行する情報処理方法であって、（１）顔検出手段１２が、カメラデバイス１１によって撮影された画像Ｐの中から、人の顔３０ａ，３１ａ，３２ａを検出し、（２）盗み見判定手段１３が、顔検出手段１２によって検出された顔３０ａ，３１ａ，３２ａの大きさに基づき、第三者３１，３２が盗み見をしているか否かを判定し、（３）盗み見防止信号出力手段１４が、盗み見判定手段１３によって盗み見をしていると判定されたときに、盗み見防止信号Ｓを出力する、ことを特徴とする。
【００４６】
次に、本実施形態の情報処理プログラムについて説明する。本実施形態の情報処理プログラムは、使用者３０が表示デバイス１５の画面１６を見ている時に画面１６側から使用者３０側を撮影するカメラデバイス１１と、盗み見防止信号Ｓを入力すると盗み見を防止する動作をする表示デバイス１５と、コンピュータ２０と、を備えた携帯電話機１０に用いられる情報処理プログラムであって、（１）カメラデバイス１１によって撮影された画像Ｐの中から、人の顔３０ａ，３１ａ，３２ａを検出する顔検出手段１２、（２）顔検出手段１２によって検出された顔３０ａ，３１ａ，３２ａの大きさに基づき、第三者３１，３２が盗み見をしているか否かを判定する盗み見判定手段１３、（３）盗み見判定手段１３によって盗み見をしていると判定されたときに、盗み見防止信号Ｓを出力する盗み見防止信号出力手段１４、としてコンピュータ２０を機能させるためのものである。本実施形態の情報処理プログラムは、ＲＯＭ２２又はＲＡＭ２３に格納され、そこからＣＰＵ２１に読み出され、解釈され、実行される。
【００４７】
次に、本実施形態の携帯電話機１０について、更に詳しく説明する。
【００４８】
図２［１］を参照すると、携帯電話機１０は、正面に表示デバイス１５とカメラデバイス１１とを有する構成とする。また、携帯電話機１０は、ＣＰＵやメモリを有し、各デバイスの制御や補正を実行する機能や、時間を計測するためのタイマ機能を有する。
【００４９】
図２［１］に示すように、携帯電話機１０の使用者３０と、携帯電話機１０の方を向いている（すなわち携帯電話機１０に近い）第三者３１と、携帯電話機１０の方を向いていない（すなわち携帯電話機１０から遠い）第三者３２とが、携帯電話機１０の周囲にいる場合について説明する。カメラデバイス１１は、常に周囲をモニタしている。カメラデバイス１１から得られた画像Ｐに基づいて、画像処理によって顔検出を行う。図３のフローの通り、顔検出により検出された顔のすべてについて大きさを特定し、表示デバイス１５の方を向いている（すなわち表示デバイス１５に近い）使用者３０及び第三者３１を検出する。そして、画像Ｐの中央に位置する使用者３０は対象外として、第三者３１に対して一定時間大きさが変らない場合、盗み見している可能性があると判定する。その場合、例えば表示デバイス１５の視野角を狭くして、第三者３１から表示デバイス１５が見えないようにする。また、第三者３１が別の方向を向き（すなわち携帯電話機１０から遠ざかり）、その他に表示デバイス１５の方を向いている第三者がいない場合は、図４のフローに沿って表示デバイス１５の視野角を元に戻す。
【００５０】
図３は、図１の情報処理装置の動作（視野角が通常の場合）を示すフローチャートである。図４は、図１の情報処理装置の動作（視野角が狭い場合）を示すフローチャートである。次に、携帯電話機１０の動作について、図３及び図４を中心に更に詳しく説明する。なお、動作の主体はコンピュータ２０の各手段である。
【００５１】
図３に示す視野角が通常の場合について説明する。まず、カメラデバイス１１によって撮影された画像Ｐの中から、人の顔を検出する（ステップ４１）。続いて、画像Ｐの中に人の顔があるか否かに基づいて、携帯電話機１０の周囲に顔があるか否かを判断する（ステップ４２）。携帯電話機１０の周囲に顔があれば、その顔の大きさに基づいて、画面１６を見ている顔が複数あるか否かを判断する（ステップ４３）。このとき、顔の大きさが一定以上であれば、その顔は画面１６を見ていると推測する。画面１６を見ている顔が複数あって、視野角制御タイマがタイムアップしていれば（ステップ４４，４７）、画面１６の視野角を狭くする（ステップ４８）。一方、画面１６を見ている顔が複数あっても、視野角制御タイマが動作していなければこれをスタートしてステップ４１へ戻り（ステップ４５）、又は、視野角制御タイマがタイムアップしていなければステップ４１へ戻る（ステップ４７）。また、携帯電話機１０の周囲に顔がない場合、又は、画面１６を見ている顔が複数ない場合は、視野角制御タイマをストップしてステップ４１へ戻る（ステップ４６）。
【００５２】
図４に示す視野角が狭い場合について説明する。まず、カメラデバイス１１によって撮影された画像Ｐの中から、人の顔を検出する（ステップ５１）。続いて、画像Ｐの中に人の顔があるか否かに基づいて、携帯電話機１０の周囲に顔があるか否かを判断する（ステップ５２）。携帯電話機１０の周囲に顔があれば、その顔の大きさに基づいて、画面１６を見ている顔が複数あるか否かを判断する（ステップ５３）。このとき、顔の大きさが一定以上であれば、その顔は画面１６を見ていると推測する。携帯電話機１０の周囲に顔がない場合、又は、画面１６を見ている顔が複数ない場合は、解除タイマがタイムアップしていれば（ステップ５４，５７）、画面１６の視野角を元に戻す（ステップ５８）。一方、携帯電話機１０の周囲に顔がなくても、又は、画面１６を見ている顔が複数なくても、解除タイマが動作していなければこれをスタートしてステップ５１へ戻り（ステップ５５）、又は、解除タイマがタイムアップしていなければステップ５１へ戻る（ステップ５７）。また、画面１６を見ている顔が複数ある場合は、解除タイマをストップしてステップ５１へ戻る（ステップ５６）。
【００５３】
以上のように、本実施形態によれば、通常は画面１６の視野角を通常の広さで使い、盗み見されている可能性がある場合に自動的に画面１６の視野角を狭くするなどの自衛措置を行うことで、携帯電話機１０を利用する使用者３０の利便性とセキュリティとの双方を両立できる。
【００５４】
本発明は、上記実施形態に加え、又は上記実施形態に代えて、次のような形態も採り得る。（１）携帯電話機１０の周囲に顔が検出されない場合や、画像Ｐの中央の顔が表示デバイス１５の方を一定時間向いていない場合に、画面１６を消すなど省電力化を図ってもよい。（２）盗み見が検出された場合に、画面１６に対し、警告メッセージを表示したり、重要なデータの表示を止めたりしてもよい。（３）盗み見防止部としてスピーカ、振動体、発光体などを用い、これらによって警告を発してもよい。（４）画面１６の視野角を狭くするには、コントラストを低くしたり、拡散光からコリメート光に切り替えたりしてもよい。
【００５５】
換言すると、本発明は、表示デバイスと同じ向きにカメラを備える携帯機器において、カメラを使って顔検出を行うことにより周囲から盗み見されているか否かを確認し、盗み見されている可能性がある場合は、使用者に注意を促すためのメッセージを表示をしたり、視野角を狭くしたり、重要なデータの表示を止めたりすることにより、盗み見を防止する機能を有する。
【００５６】
すなわち、本発明は次の特徴を有する。（１）カメラ機能と表示機能を有する携帯機器において盗み見されている可能性があることを検出し、表示が第３者に見えないよう視野角を狭くすること。（２）カメラ機能と表示機能を有する携帯機器において盗み見されている可能性がないことを検出し、視野角を広くすること。（３）カメラ機能と表示機能を有する携帯機器において盗み見されている可能性があることを検出し、使用者に注意を促すメッセージを出すこと。（４）カメラ機能と表示機能を有する携帯機器において盗み見されている可能性があることを検出し、メールなど重要なデータを表示している場合にデータの表示を止める機能を持つこと。
【００５７】
本発明によれば、表示と同じ面にカメラを搭載し、カメラで表示面の正面周囲を写し、顔検出機能で携帯機器と正対する顔を検出した場合のみ、使用者に注意を促すためのメッセージを表示したり、視野角を狭くしたり、重要なデータの表示を止めたりすることにより、盗み見を防止してセキュリティを向上することができる。
【００５８】
以上、上記実施形態を参照して本発明を説明したが、本発明は上記実施形態に限定されるものではない。本発明の構成や詳細については、当業者が理解し得るさまざまな変更を加えることができる。
【産業上の利用可能性】
【００５９】
本発明は、携帯電話機、携帯型ゲーム機器、ＰＤＡ（personal digital assistants）、ノート型パーソナルコンピュータ、デスクトップ型パーソナルコンピュータ、ＡＴＭ（automated-teller machine）端末などに利用可能である。特に、本発明は、表示方向と同じ向きに撮影方向を有するカメラデバイスが搭載された携帯機器に好適である。
【符号の説明】
【００６０】
１０  携帯電話機（情報処理装置）
１１  カメラデバイス（撮像部）
１２  顔検出手段
１３  盗み見判定手段
１４  盗み見防止信号出力手段
１５  表示デバイス（表示部、盗み見防止部）
１６  表示デバイスの画面
２０  コンピュータ
２１  ＣＰＵ
２２  ＲＯＭ
２３  ＲＡＭ
２４  入出力インタフェース
３０  使用者
３０ａ  使用者の顔
３１，３２  第三者
３１ａ，３２ａ  第三者の顔
Ｐ  画像
Ｓ  盗み見防止信号
１０１  撮像部
１０２  データ処理装置
１０３  警告出力部
１２１  顔検出手段
１２２  覗き見判定手段
１２３  警告発生手段
【図１】
2010277205.tif 000003
【図２】
2010277205.tif 000004
【図３】
2010277205.tif 000005
【図４】
2010277205.tif 000006
【図５】
2010277205.tif 000007
【図６】
2010277205.tif 000008